(57)【特許請求の範囲】
【請求項１】
上位系統からの電力を受電して配電線に供給する複数の変電所と、
それぞれ遮断器を介して前記配電線に連系された複数の負荷と、
を含む電力系統における電力の需給を管理する系統電力管理システムであって、
前記複数の変電所にそれぞれ設置される複数の中継局装置と、
前記複数の負荷にそれぞれ設置され、前記複数の中継局装置の何れかと通信可能な複数の子局装置と、
前記複数の中継局装置のそれぞれと通信可能な親局装置と、
を備え、
前記親局装置は、
前記電力系統の所定箇所における負荷潮流の現在値が、予め設定された上限値を超えた場合に、前記現在値から前記上限値を減算して、遮断すべき負荷量を示す遮断量を算出する遮断量算出部と、
前記遮断量を前記複数の中継局装置のそれぞれに割り当てた割当量を算出する割当量算出部と、
前記複数の中継局装置のそれぞれに前記割当量を送信する第１の通信部と、
を有し、
前記複数の中継局装置のそれぞれは、
前記割当量に基づいて、通信可能な子局装置が設置された負荷のうち前記配電線から解列すべき負荷を選択する負荷選択部と、
前記親局装置から前記割当量を受信するとともに、前記負荷選択部によって選択された負荷に設置された子局装置に遮断指令を送信する第２の通信部と、
を有し、
前記複数の子局装置のそれぞれは、
前記複数の中継局装置の何れかから前記遮断指令を受信する第３の通信部と、
前記遮断指令に応じて前記遮断器を開放する遮断器制御部と、
を有することを特徴とする系統電力管理システム。
【請求項２】
請求項１に記載の系統電力管理システムであって、
前記第２の通信部は、前記負荷選択部によって選択されて前記配電線から解列された負荷量を示す実遮断量を前記親局装置に送信し、
前記割当量算出部は、前記複数の中継局装置の何れかにおいて、前記実遮断量が前記割当量を下回った場合には、当該割当量を下回った量を他の中継局装置のそれぞれに割り当てた割当量をさらに算出することを特徴とする系統電力管理システム。
【請求項３】
請求項１または請求項２に記載の系統電力管理システムであって、
前記遮断量算出部は、前記現在値が所定時間の間、前記上限値を超えた場合に、前記遮断量を算出することを特徴とする系統電力管理システム。
【請求項４】
請求項１ないし請求項３の何れかに記載の系統電力管理システムであって、
前記負荷選択部は、予め設定された優先順位に従って、前記配電線から解列すべき負荷を選択することを特徴とする系統電力管理システム。
【請求項５】
上位系統からの電力を受電して配電線に供給する複数の変電所と、
それぞれ遮断器を介して前記配電線に連系された複数の負荷と、
を含む電力系統において、電力の需給を管理すべく、
前記複数の負荷にそれぞれ設置され、遮断指令に応じて前記遮断器を開放する複数の子局装置と、
前記複数の変電所にそれぞれ設置され、それぞれに割り当てられた割当量に基づいて、前記複数の負荷のうち前記配電線から解列すべき負荷を選択し、選択された負荷に設置された子局装置に前記遮断指令を送信する複数の中継局装置と、
ともに用いられる親局装置であって、
前記電力系統の所定箇所における負荷潮流の現在値が、予め設定された上限値を超えた場合に、前記現在値から前記上限値を減算して、遮断すべき負荷量を示す遮断量を算出する遮断量算出部と、
前記遮断量を前記複数の中継局装置のそれぞれに割り当てた前記割当量を算出する割当量算出部と、
前記複数の中継局装置のそれぞれに前記割当量を送信する通信部と、
を有することを特徴とする親局装置。
【請求項６】
請求項５に記載の親局装置であって、
前記割当量算出部は、前記複数の中継局装置の何れかにおいて、前記配電線から解列された負荷量を示す実遮断量が前記割当量を下回った場合には、当該割当量を下回った量を他の中継局装置のそれぞれに割り当てた割当量をさらに算出することを特徴とする親局装置。
【請求項７】
上位系統からの電力を受電して配電線に供給する複数の変電所と、
それぞれ遮断器を介して前記配電線に連系された複数の負荷と、
を含む電力系統において、電力の需給を管理すべく、
前記電力系統の所定箇所における負荷潮流の現在値が、予め設定された上限値を超えた場合に、遮断すべき負荷量を示す遮断量を算出する親局装置と、
前記複数の負荷にそれぞれ設置され、遮断指令に応じて前記遮断器を開放する複数の子局装置と、
ともに用いられ、前記複数の変電所のそれぞれに設置される中継局装置であって、
前記遮断量をそれぞれの中継局装置に割り当てた割当量に基づいて、前記複数の負荷のうち前記配電線から解列すべき負荷を選択する負荷選択部と、
前記親局装置から前記割当量を受信するとともに、前記負荷選択部によって選択された負荷に設置された子局装置に前記遮断指令を送信する通信部と、
を有することを特徴とする中継局装置。
【請求項８】
請求項７に記載の中継局装置であって、
前記負荷選択部は、予め設定された優先順位に従って、前記配電線から解列すべき負荷を選択することを特徴とする中継局装置。
【請求項９】
上位系統からの電力を受電して配電線に供給する複数の変電所と、
それぞれ遮断器を介して前記配電線に連系された複数の負荷と、
を含む電力系統において、電力の需給を管理すべく、
前記複数の負荷にそれぞれ設置され、遮断指令に応じて前記遮断器を開放する複数の子局装置と、
前記複数の変電所にそれぞれ設置され、それぞれに割り当てられた割当量に基づいて、前記複数の負荷のうち前記配電線から解列すべき負荷を選択し、選択された負荷に設置された子局装置に前記遮断指令を送信する複数の中継局装置と、
ともに用いられる親局装置のプロセッサに、
前記電力系統の所定箇所における負荷潮流の現在値が、予め設定された上限値を超えた場合に、前記現在値から前記上限値を減算して、遮断すべき負荷量を示す遮断量を算出する遮断量算出処理と、
前記遮断量を前記複数の中継局装置のそれぞれに割り当てた前記割当量を算出する割当量算出処理と、
を実行させることを特徴とするプログラム。
【請求項１０】
上位系統からの電力を受電して配電線に供給する複数の変電所と、
それぞれ遮断器を介して前記配電線に連系された複数の負荷と、
を含む電力系統において、電力の需給を管理すべく、
前記電力系統の所定箇所における負荷潮流の現在値が、予め設定された上限値を超えた場合に、遮断すべき負荷量を示す遮断量を算出する親局装置と、
前記複数の負荷にそれぞれ設置され、遮断指令に応じて前記遮断器を開放する複数の子局装置と、
ともに用いられ、前記複数の変電所のそれぞれに設置される中継局装置のプロセッサに、
前記遮断量をそれぞれの中継局装置に割り当てた割当量に基づいて、前記複数の負荷のうち前記配電線から解列すべき負荷を選択する負荷選択処理と、
当該選択された負荷に設置された子局装置に対する前記遮断指令を出力する遮断指令出力処理と、
を実行させることを特徴とするプログラム。
【発明の詳細な説明】
【技術分野】
【０００１】
本発明は、系統電力管理システム、親局装置、中継局装置、およびプログラムに関する。
【背景技術】
【０００２】
電力系統においては、その電力品質を確保するため、電力の需給状況に応じた系統運用が行われている。また、適切な系統運用を行うため、需要家の電力需要や電力系統の負荷潮流などを予測・計算したり、実際に計測・収集したりして、電力の需給を調整するシステムも用いられている。【０００３】
例えば、特許文献１では、変電所に設置された親局装置と、変圧器に設置された中継局装置と、電力機器施設に設置された子局装置とが連携して、電力系統における電力の需給を調整する電力需給調整システムが開示されている。このシステムでは分散型電源の余剰電力を蓄電池に充電するとともに、負荷の電力不足に対して蓄電池から電力を融通したり、電力の融通ができないときには負荷の抑制又は遮断を行ったりして、分散型電源の導入に際して電力系統の安定化を図っている。
【先行技術文献】
【特許文献】
【０００４】
【特許文献１】特開２０１２−１９５９８号公報
【発明の概要】
【発明が解決しようとする課題】
【０００５】
ところで、電力供給が逼迫している昨今では、需要家に対して輪番停電などの大きな負担を強いることなく大規模停電を避けるため、需要家に対して節電が求められている。このような状況においては、必要な需要家設備への電力供給を確保しながら効果的な節電を行い、電力の需給を適切に管理する必要がある。【０００６】
しかしながら、特許文献１の電力需給調整システムでは、負荷の抑制又は遮断を行う場合、変圧器電力が最大の中継局装置を優先的に特定し、さらにその中継局装置の配下にある顧客電力が最大の子局装置を優先的に特定して、抑制又は遮断を指示している。そのため、必要な負荷抑制（遮断）量が確保されるまで、子局装置に対する中継局装置経由の指示を１つずつ順次行う必要があり、電力需給の調整に時間がかかる場合がある。特に電力供給が逼迫している状況においては、効果的な節電や、電力需給の適切な管理を行うことが困難である。
【課題を解決するための手段】
【０００７】
前述した課題を解決する主たる本発明は、上位系統からの電力を受電して配電線に供給する複数の変電所と、それぞれ遮断器を介して前記配電線に連系された複数の負荷と、を含む電力系統における電力の需給を管理する系統電力管理システムであって、前記複数の変電所にそれぞれ設置される複数の中継局装置と、前記複数の負荷にそれぞれ設置され、前記複数の中継局装置の何れかと通信可能な複数の子局装置と、前記複数の中継局装置のそれぞれと通信可能な親局装置と、を備え、前記親局装置は、前記電力系統の所定箇所における負荷潮流の現在値が、予め設定された上限値を超えた場合に、前記現在値から前記上限値を減算して、遮断すべき負荷量を示す遮断量を算出する遮断量算出部と、前記遮断量を前記複数の中継局装置のそれぞれに割り当てた割当量を算出する割当量算出部と、前記複数の中継局装置のそれぞれに前記割当量を送信する第１の通信部と、を有し、前記複数の中継局装置のそれぞれは、前記割当量に基づいて、通信可能な子局装置が設置された負荷のうち前記配電線から解列すべき負荷を選択する負荷選択部と、前記親局装置から前記割当量を受信するとともに、前記負荷選択部によって選択された負荷に設置された子局装置に遮断指令を送信する第２の通信部と、を有し、前記複数の子局装置のそれぞれは、前記複数の中継局装置の何れかから前記遮断指令を受信する第３の通信部と、前記遮断指令に応じて前記遮断器を開放する遮断器制御部と、を有することを特徴とする系統電力管理システムである。【０００８】
本発明の他の特徴については、添付図面及び本明細書の記載により明らかとなる。
【発明の効果】
【０００９】
本発明によれば、電力供給が逼迫している状況において効果的な節電を行い、電力の需給を適切な状態に維持・管理することができる。
【図面の簡単な説明】
【００１０】
【図１】本発明の一実施形態における系統電力管理システムの構成を示すブロック図である。
【図２】親局装置の構成を示すブロック図である。
【図３】中継局装置の構成を示すブロック図である。
【図４】子局装置の構成を示すブロック図である。
【図５】本発明の一実施形態における系統電力管理システムの動作を説明するフローチャートである。
【発明を実施するための形態】
【００１１】
本明細書および添付図面の記載により、少なくとも以下の事項が明らかとなる。
【００１２】
＝＝＝系統電力管理システムの構成＝＝＝
以下、図１ないし図４を参照して、本発明の一実施形態における系統電力管理システムの構成について説明する。なお、図１においては、電線路（配電線）を実線で示し、（有線または無線）通信路を破線で示している。
【００１３】
図１に示されている電力系統は、一例として、変電所＃１ないし＃３と、需要家＃１ないし＃９にそれぞれ設置された負荷（需要家設備）Ｌ１ないしＬ９とを含む。変電所＃１ないし＃３には、それぞれ変圧器Ｔ１ないしＴ３が設置されており、各変圧器は、一次側が上位系統に接続され、上位系統から受電した電力を二次側から配電線に供給している。また、負荷Ｌ１ないしＬ９は、それぞれ遮断器（不図示）を介して配電線に連系されている。ここで、需要家＃２ないし＃４、および＃６ないし＃８は、個別に電力使用量を制限する電力使用制限契約を結んだ需要家（以下、契約需要家と称する）であり、需要家＃１、＃５、および＃９は、電力使用制限契約を結んでいないものとする。
【００１４】
本実施形態の系統電力管理システムは、電力系統における電力の需給を管理するためのシステムであり、親局装置１０、中継局装置２１ないし２３、および子局装置３２ないし３４、３６ないし３８を含んで構成されている。親局装置１０は、例えば上位変電所などに設置されており、系統運用者によって操作される。また、中継局装置２１ないし２３は、それぞれ変電所＃１ないし＃３に設置されており、各中継局装置は、親局装置１０と通信可能になっている。さらに、子局装置３２ないし３４、および３６ないし３８は、それぞれ契約需要家の負荷Ｌ２ないしＬ４、およびＬ６ないしＬ８に設置されており、各子局装置は、破線で接続された何れかの中継局装置と通信可能になっている。
【００１５】
図２は、本実施形態における親局装置１０の構成を示している。図２に示されている親局装置１０は、バス１０９を介して互いに接続された、上限値設定部１０１、遮断量算出部１０２、割当量算出部１０３、入出力部１０６、記憶部１０７、および（第１の）通信部１０８を含んで構成されている。なお、親局装置１０のうち、上限値設定部１０１、遮断量算出部１０２、および割当量算出部１０３の機能は、処理部（プロセッサ）１００にプログラムを実行させることによっても実現することができる。また、通信部１０８は、破線で示された通信路に接続されている。
【００１６】
図３は、本実施形態における各中継局装置２ｘ（ｘ＝１〜３）の構成を示している。図３に示されている中継局装置２ｘは、バス２０９を介して互いに接続された、優先順位設定部２０１、負荷選択部２０２、入出力部２０６、記憶部２０７、および（第２の）通信部２０８を含んで構成されている。なお、中継局装置２ｘのうち、優先順位設定部２０１および負荷選択部２０２の機能は、処理部（プロセッサ）２００にプログラムを実行させることによっても実現することができる。また、通信部２０８は、破線で示された通信路に接続されている。
【００１７】
図４は、本実施形態における各子局装置３ｙ（ｙ＝２〜４，６〜８）の構成を示している。図４に示されている子局装置３ｙは、バス３０９を介して互いに接続された、遮断器制御部３０１、入出力部３０６、記憶部３０７、および（第３の）通信部３０８を含んで構成されている。なお、子局装置３ｙのうち、遮断器制御部３０１の機能は、処理部（プロセッサ）３００にプログラムを実行させることによっても実現することができる。また、通信部３０８は、破線で示された通信路に接続されている。
【００１８】
＝＝＝系統電力管理システムの動作＝＝＝
以下、図５を適宜参照して、本実施形態における系統電力管理システムの動作について説明する。なお、図５は、親局装置１０、中継局装置２ｘ、および子局装置３ｙが連携した動作を示しており、図５においては、親局装置１０の動作は左側に示され、中継局装置２ｘまたは子局装置３ｙの動作は右側に示されている。
【００１９】
親局装置１０の上限値設定部１０１は、まず、電力系統の所定箇所において計測される負荷潮流の上限値Ｐｔｈを予め設定しておく（Ｓ１１）。例えば、系統運用者がキーボード（入出力部１０６）を介して上限値Ｐｔｈを入力し、上限値設定部１０１は、入力された上限値Ｐｔｈを記憶部１０７に記憶させる。なお、所定箇所（負荷潮流の計測箇所）は複数箇所であってもよく、さらに当該複数箇所の負荷潮流のそれぞれに対して上限値Ｐｔｈを設定しても、当該複数箇所の負荷潮流の合計値に対して上限値Ｐｔｈを設定してもよい。
【００２０】
一方、各中継局装置２ｘの優先順位設定部２０１は、まず、中継局装置２ｘの配下の（中継局装置２ｘと通信可能な子局装置３ｙが設置された）負荷Ｌｙ対して、遮断される優先順位Ｒｙを予め設定し、記憶部２０７に記憶させておく（Ｓ２１）。すなわち、中継局装置２１は、負荷（Ｌ２，Ｌ３）の優先順位（Ｒ２，Ｒ３）を設定し、中継局装置２２は、負荷（Ｌ４，Ｌ６）の優先順位（Ｒ４，Ｒ６）を設定し、中継局装置２３は、負荷（Ｌ７，Ｌ８）の優先順位（Ｒ７，Ｒ８）を設定する。なお、優先順位Ｒｙは、例えば、負荷Ｌｙが大きい順に設定される。また、電力使用制限契約における電力料金に応じて優先順位Ｒｙを設定してもよく、例えば、電力料金が安いほど優先順位Ｒｙが小さく（遮断されやすく）なるようにしてもよい。
【００２１】
次に、親局装置１０の遮断量算出部１０２は、例えば入力ポート（入出力部１０６）を介して、負荷潮流の計測箇所における現在値Ｐを取得し（Ｓ１２）、上限値Ｐｔｈと比較する（Ｓ１３）。そして、現在値Ｐが所定時間の間、上限値Ｐｔｈを超えた場合（Ｓ１３：ＹＥＳ）に、現在値Ｐから上限値Ｐｔｈを減算して、遮断すべき負荷量を示す遮断量ΔＰ（＝Ｐ−Ｐｔｈ）を算出する（Ｓ１４）。
【００２２】
次に、親局装置１０の割当量算出部１０３は、遮断量ΔＰを各中継局装置２ｘに割り当てた割当量ΔＰｘを算出する（Ｓ１５）。なお、割当量ΔＰｘは、例えば、各中継局装置２ｘに均等に割り当てられ、この場合、
ΔＰ１＝ΔＰ２＝ΔＰ３＝ΔＰ／３
と算出される。また、例えば、各中継局装置２ｘの配下の負荷Ｌｙの大きさに比例するように割当量ΔＰｘを算出してもよく、この場合、
ΔＰ１＝ΔＰ×（Ｌ２＋Ｌ３）／（Ｌ２＋Ｌ３＋Ｌ４＋Ｌ６＋Ｌ７＋Ｌ８）
ΔＰ２＝ΔＰ×（Ｌ４＋Ｌ６）／（Ｌ２＋Ｌ３＋Ｌ４＋Ｌ６＋Ｌ７＋Ｌ８）
ΔＰ３＝ΔＰ×（Ｌ７＋Ｌ８）／（Ｌ２＋Ｌ３＋Ｌ４＋Ｌ６＋Ｌ７＋Ｌ８）
と算出される。そして、算出された割当量ΔＰｘは、通信部１０８から各中継局装置２ｘに送信される。
【００２３】
中継局装置２ｘの通信部２０８が割当量ΔＰｘを受信すると（Ｓ２２：ＹＥＳ）、負荷選択部２０２は、優先順位Ｒｙに従って、中継局装置２ｘの配下の負荷Ｌｙのうち配電線から解列すべき負荷Ｌｚ（ｚはｙ＝２〜４，６〜８のうちの１つ）を選択する。また、選択された負荷Ｌｚに設置された子局装置３ｚに対して、通信部２０８から遮断指令が送信され、子局装置３ｚの通信部３０８が遮断指令を受信すると、遮断器制御部３０１は、遮断器を開放して負荷Ｌｚを配電線から解列する（Ｓ２３）。
【００２４】
さらに、中継局装置２ｘは、選択・解列された実際の負荷量を示す実遮断量Ｂｘが割当量ΔＰｘ以上となるか、配下の全負荷を選択・解列するまでの間（Ｓ２４：ＮＯ、かつＳ２５：ＮＯ）、優先順位Ｒｙに従って、順次負荷Ｌｚを選択・解列する（Ｓ２３）。そして、実遮断量Ｂｘが割当量ΔＰｘ以上となるか、配下の全負荷を選択・解列すると（Ｓ２４：ＹＥＳ、またはＳ２５：ＹＥＳ）、実遮断量Ｂｘが通信部２０８から親局装置１０に送信される。
【００２５】
ここで、本実施形態では、中継局装置２ｘの優先順位設定部２０１は、優先順位Ｒｙの再設定を行う（Ｓ２１）。当該再設定においては、解列された負荷Ｌｚの優先順位Ｒｚを大きく（遮断されにくく）することによって、中継局装置２ｘの配下の負荷Ｌｙが均等に選択されるようになる。
【００２６】
親局装置１０の通信部１０８が実遮断量Ｂｘを受信すると（Ｓ１６：ＹＥＳ）、割当量算出部１０３は、必要に応じて再割り当てを行う。すなわち、全中継局装置において実遮断量Ｂｘが割当量ΔＰｘ以上となった場合（Ｓ１７：ＹＥＳ）には、必要な負荷抑制（遮断）量を確保して電力需給調整を終了する。また、全中継局装置において配下の全負荷を選択・解列した場合（Ｓ１８：ＹＥＳ）には、これ以上負荷の抑制（遮断）を行うことができないため、電力需給調整を終了する。一方、何れかの中継局装置２ｘにおいて、配下の全負荷を選択・解列しても実遮断量Ｂｘが割当量ΔＰｘを下回った場合（Ｓ１７：ＮＯ、かつＳ１８：ＮＯ）には、当該割当量を下回った量（ΔＰｘ−Ｂｘ）をそれ以外の各中継局装置に割り当てた新たな割当量ΔＰｘを算出して（Ｓ１５）、再びＳ２２以降の処理を行う。
【００２７】
前述したように、図１に示した系統電力管理システムにおいて、親局装置１０は、負荷潮流の現在値Ｐが予め設定された上限値Ｐｔｈを超えた場合に、遮断量ΔＰ（＝Ｐ−Ｐｔｈ）を各中継局装置２ｘに割り当てた割当量ΔＰｘを算出し、各中継局装置２ｘは、割り当てられた割当量ΔＰｘに基づいて、配下の負荷Ｌｙのうち解列すべき負荷Ｌｚを選択し、選択された負荷Ｌｚに設置された子局装置３ｚは、遮断器を開放して負荷Ｌｚを解列することによって、各変電所（中継局装置２ｘ）において並列的に負荷の抑制（遮断）を行い、必要な負荷抑制（遮断）量を迅速に確保することができるため、特に電力供給が逼迫している状況において効果的な節電を行い、電力の需給を適切な状態に維持・管理することができる。さらに、節電意識や電力料金への関心が高い需要家に対しては、当該系統電力管理システムを利用した新たなサービス（電力使用制限契約）を提供することができる。
【００２８】
また、何れかの中継局装置２ｘにおいて、実遮断量Ｂｘが割当量ΔＰｘを下回った場合には、当該割当量を下回った量（ΔＰｘ−Ｂｘ）をそれ以外の各中継局装置に割り当てる再割り当てを行うことによって、最初の割り当てでは確保できなかった必要な負荷抑制（遮断）量を確保して適切な電力需給調整を行うことができる。
【００２９】
また、負荷潮流の現在値Ｐが所定時間の間、上限値Ｐｔｈを超えた場合に、遮断量ΔＰおよび割当量ΔＰｘを算出することによって、頻繁な負荷の抑制（遮断）を防止し、電力使用制限契約を結んだ契約需要家の負担を軽減することができる。
【００３０】
また、予め設定された優先順位に従って、解列すべき負荷Ｌｚを選択することによって、ライフライン関連など、電力供給が特に必要な需要家設備への電力供給を確保しながら効果的な節電を行い、電力の需給を適切に管理することができる。
【００３１】
また、親局装置１０において、処理部（プロセッサ）１００にプログラムを実行させることによって、遮断量算出部１０２の機能（遮断量算出処理）や、割当量算出部１０３の機能（割当量算出処理）を実現することができる。
【００３２】
また、中継局装置２ｘにおいて、処理部（プロセッサ）２００にプログラムを実行させることによって、負荷選択部２０２の機能（負荷選択処理および遮断指令出力処理）を実現することができる。
【００３３】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００３４】
１０        親局装置
２ｘ（２１〜２３）  中継局装置
３ｙ（３２〜３４、３６〜３８）  子局装置
１００、２００、３００  処理部（プロセッサ）
１０１      上限値設定部
１０２      遮断量算出部
１０３      割当量算出部
１０６、２０６、３０６  入出力部
１０７、２０７、３０７  記憶部
１０８、２０８、３０８  通信部
１０９、２０９、３０９  バス
２０１      優先順位設定部
２０２      負荷選択部
３０１      遮断器制御部
Ｔ１〜Ｔ３  変圧器
Ｌ１〜Ｌ９  負荷（需要家設備）
【要約】
本発明は、電力供給が逼迫している状況において効果的な節電を行うことを目的とし、親局装置は、電力系統の所定箇所における負荷潮流の現在値が、予め設定された上限値を超えた場合に、現在値から上限値を減算して、遮断すべき負荷量を示す遮断量を算出する遮断量算出部と、遮断量を各中継局装置に割り当てた割当量を算出する割当量算出部と、各中継局装置に割当量を送信する第１の通信部と、を有し、各中継局装置は、割当量に基づいて、通信可能な子局装置が設置された負荷のうち配電線から解列すべき負荷を選択する負荷選択部と、親局装置から割当量を受信するとともに、負荷選択部によって選択された負荷に設置された子局装置に遮断指令を送信する第２の通信部と、を有し、各子局装置は、何れかの中継局装置から遮断指令を受信する第３の通信部と、遮断指令に応じて遮断器を開放する遮断器制御部と、を有する。【図１】
0005608841.tif 000002
【図２】
0005608841.tif 000003
【図３】
0005608841.tif 000004
【図４】
0005608841.tif 000005
【図５】
0005608841.tif 000006